(57)【要約】【課題】小型かつ軽量で簡単に取り外しができないスナップ錠を提供する。【解決手段】ケース内に錠部を有する受け金具と係止部を有する止め金具と合鍵用磁石および駆動用磁石が埋設されている磁石鍵からなり、前記受け金具の錠部は止め金具の係止部に係止させる係止部材と、係止部材と係止部との係止が解放されるのを防ぐ磁性体で作られたストッパーと、該ストッパーを付勢して施錠状態に保持するばねとを具備し、前記ストッパーには可動障害子としての磁性体で作られたボールが落ち込む逃げ孔が設けられ、該逃げ孔の上方にはボールが転がり逃げないように制御するガイドが設けられており、前記磁石鍵の合鍵用磁石は該逃げ孔に一致する位置に埋設されており、前記ボールを合鍵用磁石でストッパーの逃げ孔の位置に整合させた状態で、ストッパーを駆動用磁石の磁力でばねの付勢に抗して動かし前記係止を解放させることによって、受け金具と止め金具とが解錠状態となり取り外しできることを特徴とする鍵違い止め具。【選択図】図１
2011236550.tif 000002
【特許請求の範囲】
【請求項１】
ケース内に錠部を有する受け金具と係止部を有する止め金具と合鍵用磁石および駆動用磁石が埋設されている磁石鍵からなり、前記受け金具の錠部は止め金具の係止部に係止させる係止部材と、係止部材と係止部との係止が解放されるのを防ぐ磁性体で作られたストッパーと、該ストッパーを付勢して施錠状態に保持するばねとを具備し、前記ストッパーには可動障害子としての磁性体で作られたボールが落ち込む逃げ孔が設けられ、該逃げ孔の上方にはボールが転がり逃げないように制御するガイドが設けられており、前記磁石鍵の合鍵用磁石は該逃げ孔に一致する位置に埋設されており、前記ボールを合鍵用磁石でストッパーの逃げ孔の位置に整合させた状態で、ストッパーを駆動用磁石の磁力でばねの付勢に抗して動かし前記係止を解放させることによって、受け金具と止め金具とが解錠状態となり取り外しできることを特徴とする鍵違い止め具。
【請求項２】
前記止め金具の係止部がダボであり、受け金具の係止部材が該ダボに係止されるリングばねであり、該リングばねの上方には上部にボールの逃げ孔が設けられた平坦部を有するキャップ状のストッパーが、ケースとの間に空間部を設けて下端がリングばねに係合するように組み込まれており、前記ボールとガイドが該空間部に設けられている請求項１に記載の鍵違い止め具。
【請求項３】
前記受け金具の係止部材がラッチであり、上部にボールの逃げ孔が設けられた平坦部を有するストッパーが、一端を中心に揺動しかつラッチに係止された止め金具の係止部に先端が係合するようにケースとの間に空間部を設けて組み込まれており、前記ボールとガイドが該空間部に設けられている請求項１に記載の鍵違い止め具。
【請求項４】
前記ガイドにボールを制御するガイド孔が設けられており、該ガイド孔はボールが転動できる幅と長さを有し、ストッパーに設けられたボール逃げ孔が該ガイド孔の所定の位置で整合している請求項１〜３のいずれかに記載の鍵違い止め具。
【請求項５】
前記ボール、逃げ孔および合鍵用磁石が１乃至複数位置に設けられ、該位置数と一つのボールに対して設定する逃げ孔と合鍵用磁石の段数との組み合わせによって鍵違い止め具を設計できる請求項１〜４のいずれかに記載の鍵違い止め具。
【請求項６】
かばんまたはコンテナの止め具である請求項１〜５のいずれかに記載の鍵違い止め具。
【発明の詳細な説明】
【技術分野】
【０００１】
本発明は、共通の磁石鍵では解錠し取り外すことができない鍵違い止め具に関する。
【背景技術】
【０００２】
ロック付き止め具の一つとして、例えば、受け金具の内部に止め金具に係合する係止部材と該係止部材を止め金具の係止部（ダボ）に係合した状態で係止するストッパーとを設け、該ストッパーを磁性材料から形成して磁石の磁力で動かし前記係止を開放することにより解錠し、受け金具と止め金具とを外す止め具が知られている（特許文献１および特許文献２参照）。
【０００３】
この止め具は、受け金具の係止部材を止め金具の係止部に係合した状態で係止するストッパーを磁石の磁力で動かし係止を解放させない限り、受け金具と止め金具とを解錠して外すことができない止め具でありロック機能を有し、磁石鍵で簡単に解錠できる利点を持っている。
【先行技術文献】
【特許文献】
【０００４】
【特許文献１】特開２００６−１３６５５７号公報
【特許文献２】特開２００５−２３０３５８号公報
【発明の概要】
【発明が解決しようとする課題】
【０００５】
上記止め具は、例えば痴呆症患者の不潔行為を未然に防ぐために痴呆症患者のねまきや手袋などに取り付けるロック付き簡易止め具としては、磁石鍵で解錠しない限り止め具を外すことが不可能であり、かつすべての患者の止め具を共通の磁石鍵で容易に解錠し外せるので適している。しかし、共通の磁石鍵で解錠できるために、家庭などに使用される鍵や鞄などの止め具のように固有の鍵でないと解錠できない、いわゆる鍵違いが要求される止め具には使用することができないという問題を有している。
【０００６】
本発明は、このような課題を解消することを目的とし、磁石鍵により解錠する従来の止め具に鍵違い機能を持たせた新規な鍵違い止め具を提供する。
【課題を解決するための手段】
【０００７】
本発明は、ケース内に錠部を有する受け金具と係止部を有する止め金具と合鍵用磁石および駆動用磁石が埋設されている磁石鍵からなり、前記受け金具の錠部は止め金具の係止部に係止させる係止部材と、係止部材と係止部との係止が解放されるのを防ぐ磁性体で作られたストッパーと、該ストッパーを付勢して施錠状態に保持するばねとを具備し、前記ストッパーには可動障害子としての磁性体で作られたボールが落ち込む逃げ孔が設けられ、該逃げ孔の上方にはボールが転がり逃げないように制御するガイドが設けられており、前記磁石鍵の合鍵用磁石は該逃げ孔に一致する位置に埋設されており、前記ボールを合鍵用磁石でストッパーの逃げ孔の位置に整合させた状態で、ストッパーを駆動用磁石の磁力でばねの付勢に抗して動かし前記係止を解放させることによって、受け金具と止め金具とが解錠状態となり取り外しできることを特徴とする鍵違い止め具を提供する。
【発明の効果】
【０００８】
本発明によれば、止め金具の係止部に係止された受け金具の係止部材をストッパーで保持して施錠された状態の止め具を合鍵でない磁石鍵で解錠しようとしても、磁石鍵の合鍵用磁石で磁着されたボールは、ストッパーに形成されたボール逃げ孔とずれた位置にあるため、ボールがストッパーの可動障害子として機能し、駆動用磁石でストッパーを動作させることができなくなるので解錠できない。
【０００９】
これに対し、合鍵の磁石鍵では合鍵用磁石がストッパーに形成されたボール逃げ孔と整合する位置に設けられているため、合鍵用磁石で磁着されたボールはストッパーのボール逃げ孔の位置と一致し、該逃げ孔に没入してストッパーの可動障害子にならないため、駆動用磁石でストッパーを動作させることが可能となり解錠できる。これにより、磁石鍵を近接するだけで容易に解錠できる磁石鍵の利点を活用できるとともに、施錠された止め具を合鍵の磁石鍵のみにより解錠し取り外すことができる鍵違い止め具が得られる。
【００１０】
さらに、ボール、逃げ孔および合鍵用磁石の位置数と、一つのボールに対して設定する逃げ孔と合鍵用磁石の段数との組み合わせによって、鍵違い止め具を容易に得ることができる。
【図面の簡単な説明】
【００１１】
【図１】本発明に係わる好ましい鍵違い止め具であり、（Ａ）は磁石鍵の断面図、（Ｂ）は受け金具の断面図、（Ｃ）は止め金具の断面説明図を示す。
【図２】図１の受け金具の平面図である。
【図３】図１の鍵違い止め具の磁石鍵とガイドとストッパーとの関係を示す斜視図である。
【図４】本発明の止め具の解錠時の説明図であり、（Ａ）は合鍵用磁石でボールを磁着した状態の部分断面図、（Ｂ）はストッパーが駆動用磁石で引き寄せられた状態の部分断面図を示す。
【図５】（Ａ）は合鍵でない磁石鍵を使用したときの部分断面図、（Ｂ）は合鍵の磁石鍵を使用したときの部分断面図である。
【図６】合鍵用磁石とボール逃げ孔が３段である場合の関係を示す断面説明図である。
【図７】ボール逃げ孔とガイド孔を３位置に設けたストッパーとガイドの関係を示す斜視図である。
【図８】本発明の他の好ましい鍵違い止め具の断面説明図である。
【図９】図８の鍵違い止め具の磁石鍵とガイドとストッパーの斜視図である。
【発明を実施するための形態】
【００１２】
本発明の好ましい実施形態であるスナップタイプの止め具（以下、本止め具という）について図面を参照して説明する。
図１（Ａ）は本止め具の磁石鍵３、（Ｂ）は受け金具１、（Ｃ）は止め金具２を示す。本止め具は受け金具１と止め金具２の水平断面が円形であるスナップタイプの止め具である。受け金具１および止め金具２は、例えば皮革や衣服などの本止め具で鍵止めする物品（以下、皮革等という）１２に対で取り付けられ、受け金具１の錠部に止め金具２の係止部（ダボ）１３を嵌挿することにより係止と同時に施錠される。そして、受け金具１の錠部に鍵違い手段を設けることにより、合鍵の磁石鍵３のみで前記係止を開放して解錠し取り外すことができる鍵違い止め具が得られる。
【００１３】
上記受け金具１は、錠部を下ケース９と上ケース１０との間に組み込んで形成される。図１に示すように下ケース９は、内部に錠部を組み込むための空間部を有するドーナツ状体で、底部には先端を内側に折り曲げて止め金具２のダボ１３を嵌挿するための透き孔が、ダボ１３の最大径より大きい径で設けられている。
【００１４】
受け金具１の錠部は、止め金具２のダボ１３に係止されるリングばね４と、該リングばね４を止め金具のダボ１３に係止した状態に保持するキャップ状のストッパー５と、該ストッパーを付勢して施錠状態に保持するばね６とに鍵違い手段を付設し、これらを下ケース９と上ケース１０との間に組み込むことによって形成される。ストッパー５は上部が平坦部に形成されていることが好ましい。ストッパー５、特にこの平坦部は、鉄、１８−８ステンレス鋼以外のステンレス鋼（磁性ステンレス鋼）などの磁性材料で形成される。特に、磁性ステンレス鋼は防錆および加工性に優れており好ましい。ストッパー５を磁性材料で形成することにより、解錠時に磁石鍵の磁力で上方に動かしてリングばね４と止め金具２のダボ１３との係止を解放させることができる。ストッパー５は通常全体を磁性材料で形成するが、解錠時に最も磁力が作用する錠部の平坦部だけを磁性材料で形成してもよいし、あるいは図１に鎖線で示すようにこの部分に磁性材２８を接着してもよい。ストッパー５が磁性材料で形成されるとは、これらを含んでいる。
【００１５】
リングばね４は、受け金具１を止め金具２のダボ１３に係止させるための係止部材である。本例のリングばね４は、図３に示すように線ばねを丸く曲げてリング状にしたもので、適度の弾性を持っており、受け金具１と止め金具２との着脱時に止め金具２のダボによって内側から押されると弾性変形して広がる。線ばねを曲げ加工するだけで作れるため低コストで製造でき、かつ他の係止部材に比べて簡単形状で精度が厳しくなくてもよいため、スナップタイプの止め具の係止部材として優れている。通常は本例のように単純な円形のリングばねが使用されるが、線ばねを部分的に内側に突出部を有する波形に曲げて、該突出部で止め金具２のダボを係止してもよい。
【００１６】
また、ばね５はストッパー５を付勢して通常時はストッパー５の先端でリングばね４を位置制御し、またリングばね４が止め金具２のダボ１３に係合したときには、ストッパー５の先端でリングばね４の外側上半部を抑止し、リングばね４が止め金具２のダボ１３で押し広げられるのを阻止し、受け金具１と止め金具２とを施錠状態に保持する。ばね５としては、解錠時にリングばね４の外側上半部を抑止しているストッパー５を磁石鍵の磁力でばね５の弾性力に抗して動かしリングばね４を開放させるために、ストッパー５に作用する磁力より小さい弾性力のものが使用される。本例ではつる巻きばねを使用しているが、これに限定されないで、止め具に合わせて例えば板ばねやコイルばねなどを適宜用いることができる。
【００１７】
本止め具において、ストッパー５は上ケース１０との間に空間部２６を設けてケース内に組み込まれる。この空間部２６としては、施錠状態にあるストッパー５を上方に動かしてリングばね４を開放し解錠させることができ、さらに合鍵の磁石鍵のみによって解錠させる鍵違い手段のガイド７とボール８を組み込むことができる間隔が設けられる。
【００１８】
本例の鍵違い手段は、図３に示すように可動障害子としての磁性体で作られたボール８と、該ボールが転がり逃げないように制御するガイド７と、ストッパー５の錠部の平坦部に設けられるボール８の逃げ孔２２と、磁石鍵３に埋設された合鍵用磁石１８とによって形成される。この場合、ボール８の逃げ孔２２と磁石鍵３の合鍵用磁石１８とは、それぞれ対応しており一致する位置に設けられる。また、ガイド７にはガイド孔２１が設けられており、ボール８は該ガイド孔２１に装入して組み込まれる。ガイド孔２１はボール８が転動できる幅と長さを有しており、ボール８は該ガイド孔内を自由に転動する。ガイド孔２１の長さとしてはボール径の例えば２〜３倍が好ましい。ガイド孔２１の形状や向きは限定されないが、本例のようなスナップタイプの止め具では、円形のガイド７の周辺部に沿って設けるのが好ましい。ガイド孔２１内の１か所は、ストッパー５の逃げ孔２２と一致しており、ガイド孔内のボール８は合鍵用磁石１８で引き寄せられて転動し、この位置で逃げ孔２２に整合する。
【００１９】
なお、磁石鍵３としては、図１（Ａ）に示すように例えばプラスチックス製のホルダ１６にストッパー５を動作させる駆動用磁石１７の両側に上記合鍵用磁石１８を埋設したものが使用される。この場合、ボール８が駆動用磁石１７によって引き寄せられるのを防ぐために、合鍵用磁石１８はできるだけ駆動用磁石１７から離して設けることが好ましい。
【００２０】
上記受け金具１において錠部をケース内に組み込むには、図１に示すように下ケース９の底部に載置されたリングばね４にストッパー５を載置してリングばね４を下ケース９の先端とストッパー５の先端とで保持する。次に、ガイド７をストッパー５の上にガイド７のガイド孔とストッパー５の逃げ孔の位置を整合させて載置し、そしてガイド孔にボール８を装入し、さらにばね６をストッパー５に下端を載せて組み込んだ後、下ケース９に上ケース１０を被せて両者の縁部を重ね合わせた状態ではとめることによって行う。この場合、ストッパー５の下部を図１に示すように傾斜させ、この傾斜部分に段部を形成しておくと、この段部でばね６の下端を支持してストッパー５に付勢させやすくなり、同時にばね６の付勢によってストッパー５が受け金具１の中央に位置制御されるため好ましい。
【００２１】
また、ガイド７とストッパー５に例えば位置合わせマーク２３をそれぞれ設けておくと（図３参照）、両方の位置合わせマーク２３を合わせながら組み込むことにより、ガイド７のガイド孔とストッパー５の逃げ孔の位置を容易かつ正確に整合できる。さらに、上ケース１０の上部に例えば図２に示す如く方位合わせ凹部１９をストッパー５の逃げ孔に合わせて形成しておき、一方磁石鍵３の下部には方位合わせ凸部２０を合鍵用磁石１８がストッパー５の逃げ孔と一致する方位で形成しておくと、解錠時に磁石鍵３を受け金具１に近接する際、該方位合わせ凸部２０を受け金具１の方位合わせ凹部１９に嵌合させることにより、ストッパー５の逃げ孔の位置に磁石鍵３の合鍵用磁石１８を容易に合わせることができる。
【００２２】
上記受け金具１において、ストッパー５およびボール８以外の部材は非磁性材料から形成されることが好ましい。その理由は、受け金具１に磁石鍵３を近接して解錠するとき、磁力がストッパー５およびボール８以外の部材には作用しないようにするためである。この非磁性材料としては、例えば１８−８ステンレス鋼、真鍮、亜鉛、アルミニウムなどの金属が強度、防錆、製造加工のしやすさなどの面で好ましく使用でき、なかでも真鍮が優れている。
【００２３】
また、上記受け金具１を皮革等に取り付けるには、例えば皮革等１２の受け金具１を取り付ける箇所にあらかじめ孔をあけ、該孔に裏側からはとめ１１を挿入したあと、表側からはとめ１１の外側に押え材を嵌合するとともに錠部が組み込まれた受け金具１の下ケース９をはとめ８の内部に嵌合し、はとめ８の先部と下ケース９および上ケース１０の縁部とを重ね合わせた状態で一緒に折り曲げてはとめる。受け金具の取り付け方法は、取り付ける皮革等に合わせて適宜選択でき限定されない。
【００２４】
次に、止め金具２について説明する。止め金具２は、ダボ１３とダボ止片１２とによって形成される。材質としては、例えば真鍮やステンレス鋼などの金属が好ましい。柱状に植立されたダボ１３の先端部は、受け金具１の前記リングばね４に押し込めるように丸みを持っており、かつリングばね４に嵌合した後にリングばね４でダボ１３を確実に係止するのに有効な段部２７を形成するために外周方向に突出している。このようなダボ１３の先端部の形状は、止め金具２を皮革等１２に取り付けする際に、ダボ止片１４のあし１５の先端とダボ１３の先端をかしめて形成することができる。
【００２５】
次に、本止め具の施錠および解錠について説明する。
【００２６】
止め金具２のダボ１３を受け金具１のリングばね４の中に押し込むと、ダボ１３は先端でリングばね４を押し広げながらまたリングばね４を介してストッパー５を押し上げながら進入する。そして、先端の最大径部の進入が終ると、リングばね４は弾性力で縮小して元の位置に戻り、それと同時にストッパー５もばね５の付勢力によって下方に押し下げられ、リングばね４の外側上半部に接する。これにより、ダボ１３の段部２７がリングばね４で係止され、かつ外側からリングばね４の外側上半部がストッパー５で抑止されるため、受け金具１と止め金具２は施錠される。施錠された止め具は、リングばね４をストッパー５の抑止から解放させない限り離脱不可能である。
【００２７】
このように施錠された止め具において、ガイド７のガイド孔２１に装入されたボール８は、ガイド孔で制御されながら自由に転動し、ストッパー５と上ケース１０との間に介在する。そのため、従来の磁石鍵を近接し解錠しようとしても、可動障害子であるボール８が邪魔をしてストッパー５を上方に動かせないため解錠されない。
【００２８】
施錠された止め具の解錠は、合鍵用磁石１８がストッパー５の逃げ孔の位置に一致させて埋設されている合鍵の磁石鍵３の方位合わせ凸部２０を受け金具１の方位合わせ凹部１９（図２参照）に嵌合して両者を近接することによって得られる。すなわち、受け金具１に磁石鍵３を近接すると、図４に示すようにガイド孔２１内のボール８は、合鍵用磁石１８に引き寄せられて磁着され、合鍵用磁石１８の位置と一致するように設定されているストッパー５の逃げ孔２２に整合する。他のボールにおいてもこれと同じ動作が同時に行われる。この状態でストッパー５が磁石鍵３の駆動用磁石１７によって引き寄せられると、図４（Ｂ）に示すようにボール８が逃げ孔２２に没入するため、ストッパー５はボール８に邪魔されることなく上方に動く。これにより、リングばねの係止が解放されるため、止め具は解錠され取り外すことができる。
【００２９】
図５は、（Ａ）異鍵および（Ｂ）合鍵で解錠を試みた場合を示したものである。磁石鍵３が合鍵の場合には、前記したように合鍵用磁石１８と逃げ孔２２とがあらかじめ一致するように設定されているのに対し、異鍵の場合には、図５（Ａ）に示すごとく合鍵用磁石１８と逃げ孔２２の位置とが一致していないため、磁石鍵３を近接したとき、ボール８は逃げ孔２２からずれて合鍵用磁石１８で磁着される。その結果、ストッパー５はボール８に邪魔されて駆動用磁石１７で上方に動かせなくなり、止め具を解錠させることができない。
【００３０】
本発明において、鍵違いの止め具は、可動障害子のボールの数（以下、位置数とする）と一つのボールに対する合鍵用磁石と逃げ孔の数（以下、段数とする）との組み合わせによって得ることができる。具体的には得られる鍵違いの止め具の数は段数の位置数乗となる。これを図６および図７に従って説明する。
【００３１】
図６は、一つのボール８に対し合鍵用磁石１８ａ、１８ｂ、１８ｃと逃げ孔２２ａ、２２ｂ、２２ｃの３段で鍵違いの止め具を設定する場合を示す。これらの３段のいずれかに設定することにより、３種類の鍵違い止め具が得られる。図７は、止め具に３個のボール（図示省略）とガイド孔２１ａ、２１ｂ、２１ｃを設ける３位置で鍵違い止め具を形成する場合である。これらの３位置のすべてに図６の３段の合鍵用磁石と逃げ孔を適用して鍵違い止め具を設計すれば、その組み合わせ数は３（段数）の３乗（位置数）となり、２７種類の鍵違い止め具を得ることができる。段数と位置数は、止め具の種類、大きさ、用途などを考慮して決められるが、通常はともに１〜３程度である。
【００３２】
図８は、本発明の他の好ましい鍵違い止め具の断面説明図である。鍵違い手段の部品には、図１の部品と同じ符号を付けて説明する。本例の止め具は受け金具の係止部材がラッチ２９であり、該ラッチ２９に係止された止め金具の係止部２５がラッチ２９から離脱するのをストッパー２４で防止して施錠し、施錠された状態のストッパー２４を磁石鍵３の駆動用磁石１７でばね６に抗して一端（本例では右側の端部）を中心に揺動させて係止部２５から外し解錠する止め具である。この止め具の鍵違い手段は、ボール８がガイド孔２１に装入されたガイド７をストッパー２４とケースとの空間部に組み込むことにより得られる。図９に示すようにストッパー２４には各ボール８に対応して逃げ孔２２が設けられており、磁石鍵３には該逃げ孔と一致する位置に合鍵用磁石１８が埋設されている。ストッパー２４とボール８は磁性体で形成される。
【００３３】
止め具の解錠の仕方は、図１の止め具と実質的に同じである。すなわち、磁石鍵３を施錠された止め具に所定の方位で近接させると、磁石鍵３が合鍵である場合には、逃げ孔２２と合鍵用磁石１８の位置が一致しているため、ボール８は合鍵用磁石１８で引き寄せられて逃げ孔２２の真上に整合する（図８参照）。この状態でストッパー２４が駆動用磁石１７で上方に引き寄せられると、ボール８が逃げ孔に２２に没入し障害にならないため、ストッパー２４は上方に揺動し止め具の係止部２５から外れる。これにより止め具は解錠された状態となり、受け金具を図８で左方向に押すことによって取り外しできる。磁石鍵３が異鍵の場合には、ボール８が逃げ孔２２と整合せずに障害子として作用するため、ストッパー２４を係止部２５から外せなくなり解錠できない。
【００３４】
本発明に係る止め具は、鍵違い止め具として広く使用可能であり、かばんやコンテナなどの止め具として、あるいは家庭などの簡易止め具（鍵）として使用できる。
【００３５】
なお、図示はしないが磁石鍵を使用する鍵違い止め具は、非磁性材料で形成したストッパーに磁石鍵を近接する側がＮ極またはＳ極になるように磁石を設け、一方合鍵の磁石鍵にはストッパーがＮ極のときは留め具に対向する側がＳ極に、またＳ極のときはＮ極になるように磁石を設けることによっても得られる。ストッパーと磁石鍵の磁石を同極にした場合には互いに反発しあいストッパーを磁石鍵で動作できなくなるため異鍵となり解錠できない。これにより、２種類の鍵違い止め具を得ることができる。
【産業上の利用可能性】
【００３６】
本発明に係る止め具は、磁石の磁力で解錠できる鍵違い止め具として使用できる。
【符号の説明】
【００３７】
１：受け金具              ２：止め金具              ３：磁石鍵
４：リングばね            ５：ストッパー            ６：ばね
７：ガイド                ８：ボール                ９：下ケース
１０：上ケース            １１：はとめ              １２：皮革等
１３：ダボ                １４：ダボ止片            １５：あし
１６：ホルダ              １７：駆動磁石            １８：合鍵用磁石
１９：方位合わせ凹部      ２０：方位合わせ凸部      ２１：ガイド孔
２２：逃げ孔              ２３：位置合わせマーク    ２４：ストッパー
２５：係止部              ２６：空間部              ２７：段部
２８：磁性材              ２９：ラッチ
【図１】
2011236550.tif 000003
【図２】
2011236550.tif 000004
【図３】
2011236550.tif 000005
【図４】
2011236550.tif 000006
【図５】
2011236550.tif 000007
【図６】
2011236550.tif 000008
【図７】
2011236550.tif 000009
【図８】
2011236550.tif 000010
【図９】
2011236550.tif 000011